(57)【特許請求の範囲】
【請求項１】
筐体と、
可視光を透過する表示部を有し、前記筐体の前面に取着された化粧シートと、
前記筐体に内設された基板と、
前記基板の前記化粧シート側の面に実装された発光素子と、
を有し、
前記筐体は、前記発光素子の出射光を前記表示部に導く導光部を備え、
前記導光部は、
前方から見て前記発光素子を囲む筒状に形成された壁部と、
前記発光素子の前方に配置された中板とを有し、
前記壁部は、前方から見て長方形の枠状に形成され、
前記発光素子は、前方から見て前記中板の中央に配置されたこと、
を特徴とするリモコン装置。
【請求項２】
前記中板は、前記発光素子の出射光に対する透過性を有すること、を特徴とする請求項１に記載のリモコン装置。
【発明の詳細な説明】
【技術分野】
【０００１】
本発明は、リモコン装置に関する。
【背景技術】
【０００２】
従来、給湯システムは、システムの設定や動作を指示するためのリモコン装置を備えている（たとえば、特許文献１参照）。リモコン装置は、たとえば浴室や台所の壁面に設置されている。
【先行技術文献】
【特許文献】
【０００３】
【特許文献１】特開２０１５−９２６９３号公報
【発明の概要】
【発明が解決しようとする課題】
【０００４】
ところで、リモコン装置には、システムにおける各種の情報や動作の状態が表示される。そして、利用者に対して確認の容易な表示が望まれている。たとえば、広い表示部を有し、その表示部を点灯することで、システムの情報を通知する。しかしながら、表示部を広くすると、部分的に明るくなり、表示部全体を均一な明るさとすることが難しい。
【０００５】
本発明は上記問題点を解決するためになされたものであって、その目的は、広い表示部を均一な明るさとすることを可能としたリモコン装置を提供することにある。
【課題を解決するための手段】
【０００６】
上記課題を解決するリモコン装置は、筐体と、可視光を透過する表示部を有し、前記筐体の前面に取着された化粧シートと、前記筐体に内設された基板と、前記基板の前記シート側の面に実装された発光素子と、を有し、前記筐体は、前記発光素子の出射光を前記表示部に導く導光部を備え、前記導光部は、前方から見て前記発光素子を囲む筒状に形成された壁部と、前記発光素子の前方に配置された中板とを有する。
【０００７】
この構成によれば、発光素子から出射された光は、発光素子の前方に配置された中板にて反射した後、化粧シートの表示部に導かれる。この結果、表示部が均一な明るさにて点灯する。また、光通過孔の大きさに応じた輝度にて表示部が点灯する。
【０００８】
上記のリモコン装置において、前記中板は、前記発光素子の出射光に対する透過性を有することが好ましい。
この構成によれば、中板以外の部分を通過した光と、中板を透過した光とにより、表示部が均一な明るさにて点灯する。
【０００９】
上記のリモコン装置において、前記壁部は、前方から見て長方形の枠状に形成され、前記発光素子は、前方から見て前記中板の中央に配置されたことが好ましい。
この構成によれば、壁部に応じた長方形状の全体に亘って均一な明るさにて点灯する。
【発明の効果】
【００１０】
本発明のリモコン装置によれば、広い表示部を均一な明るさとすることができる。
【図面の簡単な説明】
【００１１】
【図１】給湯システムの概略構成図。
【図２】リモコン装置の正面図。
【図３】（ａ）は表示部を示す拡大図、（ｂ）は表示部を示す平断面図、（ｃ）は表示部を示す斜視断面図。
【発明を実施するための形態】
【００１２】
以下、一実施形態を説明する。
図１は、給湯システムの一例を示す。エネルギシステム１０は、コージェネレーションシステムとして構成され、給湯機能を有している。エネルギシステム１０は、熱源機１１（ガスエンジン）によって運転される発電機１２と、ソーラ電池パネル１３とを備えたダブル発電方式である。これらによって発生された電力は、パワーコンディショナ１４を適宜介するなどして屋内分電盤１５に送られ、家屋内の各所に分配され、また売電される。売電量および買電量は、電力量計１６によって計測される。
【００１３】
熱源機１１からの排熱は、熱交換器を有する加熱装置１７に送られて温水生成に利用され、生成された温水は貯湯タンク１８に貯留される。この温水は、補助熱源機１９によって加熱され、または加熱されることなく所定温度に調整されて、一般給湯用や床暖房用に用いられる。エネルギシステム１０の各部は、制御部２０により制御される。電力量計１６、ガス流量計２１、および水量計２２からの各種エネルギの使用量あるいは売買量のデータは、制御部２０に送信される。
【００１４】
制御部２０は、各種のデータをリモコン装置２３，２４に表示する。リモコン装置２３は浴室の壁面に固定されて使用され、リモコン装置２４は台所の壁面に固定されて使用される。リモコン装置２３，２４は表示部と操作部を有し、表示部に各種のデータを表示する。制御部２０は、リモコン装置２３，２４の操作に応じて、エネルギシステム１０の各部を制御する。
【００１５】
図２に示すように、リモコン装置２４は、樹脂製の筐体３１を有している。筐体３１は、前面からみて略矩形状であり、取着される壁面（図示略）に応じた板状に形成されている。
【００１６】
筐体３１の下部左端には、操作スイッチ３２が配設されている。操作スイッチ３２は、システムの運転のオン／オフを切り替えるものである。操作スイッチ３２には、運転ランプ３２ａが設定され、システムの状態に応じて点灯／消灯される。
【００１７】
筐体３１の前面部には、化粧シート３３が貼付されている。
化粧シート３３の略中央部分には、情報表示部３４（破線にて領域を示す）が設定されている。情報表示部３４は、筐体３１に取着された表示装置の表示範囲である。表示装置は、たとえば液晶表示装置（ＬＣＤ）である。また、この表示装置は、操作機能を有している。操作機能は、たとえばタッチパネルにより提供される。情報表示部３４には、システムの各種状態や各種データ（たとえば、湯温、発電量、等）、操作メニューが表示される。そして、操作者が情報表示部３４に触れることにより、操作メニュー等の表示や、表示されたメニューに基づく各種設定を行うことができる。
【００１８】
また、化粧シート３３の下部には、状態表示部３５，３６ａ〜３６ｅが設定されている。状態表示部３５，３６ａ〜３６ｅは、筐体３１の内部に配置された基板に実装された発光素子の点灯／消灯により、設定された状態を表示するランプである。つまり、ランプは状態表示部と発光素子により構成される。なお、状態表示部を単にランプとして説明することがある。たとえば、状態表示部３５は発電ランプである。状態表示部３６ａ，３６ｂ，３６ｃはそれぞれ暖房ランプ、風呂ランプ、予約ランプである。そして、状態表示部３６ｄ，３６ｅはそれぞれ高温ランプ、燃焼ランプである。
【００１９】
図１に示す制御部２０は、上記のエネルギシステム１０における発電量と、電力使用量（電気使用量）とに基づいて、発電ランプ３５の色を制御する。図１に示すように、エネルギシステム１０は、発電機１２とソーラ電池パネル１３とを有している。制御部２０は、リモコン装置２４の操作に基づいて、表示する発電対象を設定する。そして、制御部２０は、設定した発電対象と、発電対象における発電量と、電力使用量（電気使用量）とに基づいて、発電ランプ３５の色を制御する。
【００２０】
［発電対象をソーラ電池パネル１３とした場合］
制御部２０は、ソーラ電池パネル１３における発電量と、電力使用量（電気使用量）とに基づいて、発電ランプ３５の色を制御する。制御部２０は、発電量と電力使用量とを比較した結果に応じた色にて発電ランプ３５を点灯する。たとえば、発電量より電力使用量が多い場合、発電ランプ３５をオレンジ色にて点灯させる。一方、発電量より電力使用量が少ない場合、発電ランプ３５を青色にて点灯させる。
【００２１】
［発電対象を発電機１２とした場合］
制御部２０は、発電機１２における発電量と、電力使用量（電気使用量）とに基づいて、発電ランプ３５の色を制御する。制御部２０は、発電量と電力使用量とを比較した結果に応じた色にて発電ランプ３５を点灯する。たとえば、発電量より電力使用量が多い場合、発電ランプ３５を青色にて点灯させる。一方、発電量より電力使用量が少ない場合、発電ランプ３５を緑色にて点灯させる。
【００２２】
図３（ｂ）に示すように、筐体３１は、表ケース４１と裏ケース４２とから構成されている。表ケース４１と裏ケース４２は、図示しないネジにより互いに固定されている。裏ケース４２は、図示しない取付板によってたとえば台所の壁面に固定される。
【００２３】
表ケース４１と裏ケース４２とからなる筐体３１には、基板４３が内設されている。基板４３は、ネジ４４によって表ケース４１に固定されている。基板４３には、上記した表示装置、表示装置を制御する制御回路を構成する各種の回路素子が実装されている。また、基板４３には、上記の発電ランプ３５のための発光素子４５、各ランプ３６ａ〜３６ｅのための発光素子（図示略）が実装されている。発光素子４５は、たとえば赤色（Ｒ）と緑色（Ｇ）と青色（Ｂ）の各色をそれぞれ発光する発光素子を含む高輝度発光ダイオード（高輝度ＬＥＤ）である。各色の発光素子を個別に点灯制御することにより、発電ランプ３５を各色にて点灯する。また、複数の発光素子を同時に点灯制御することにより、複数の発光素子による光を合成（加法混色）し、所望の色にて発電ランプ３５を点灯する。
【００２４】
なお、図２に示す各ランプ３６ａ〜３６ｅは、基板４３に実装された発光素子により、それぞれ単色光にて点灯する。たとえば、ランプ３６ａ，３６ｂ，３６ｃは白色にて点灯し、ランプ３６ｄ，３６ｅは赤色にて点灯する。
【００２５】
図３（ｂ）及び図３（ｃ）に示すように、表ケース４１には、基板４３に実装された発光素子４５から出射される光を、化粧シート３３の状態表示部３５へ導く導光部５０が形成されている。
【００２６】
導光部５０は、壁部５１を有している。壁部５１は、表ケース４１を厚み方向（図３（ｂ）において上方向）から見たときに、状態表示部３５（図３（ｃ）参照）を囲む矩形枠状に形成されている。そして、壁部５１は、化粧シート３３から基板４３の間において、厚み方向に沿って延びる筒状に形成されている。
【００２７】
図３（ａ）に示すように、壁部５１は、表ケース４１を厚み方向（図３（ａ）において紙面裏方向）から見たときに、左右方向に沿って延びる長方形の枠状に形成されている。そして、発光素子４５は、長方形枠状（筒状）の壁部５１の中央に配置されている。発光素子４５は、表ケース４１の厚み方向から見て、概略の外形形状が上下方向に沿って延びる長方形状である。
【００２８】
図３（ｂ）及び図３（ｃ）に示すように、導光部５０は、発光素子４５の前方（化粧シート３３側）に配置された中板５２を有している。中板５２には、長方形状の壁部５１の両端部に、中板５２を貫通する光通過孔５３，５４が形成されている。図３（ａ）に示すように、光通過孔５３，５４は、発光素子４５の左右両側に形成されている。光通過孔５３，５４は、表ケース４１の厚み方向から見て、これらの光通過孔５３，５４と発光素子４５の配列方向（図３（ａ）において左右方向）に対して直交する方向（上下方向）に沿って延びる長方形状に形成されている。
【００２９】
発光素子４５と各光通過孔５３，５４との位置関係、及び光通過孔５３，５４の大きさ、形状は、発光素子４５から出射される各色の光の位置（素子の位置）や光の強度等に応じて設定されている。発光素子４５の出射光は、中板５２の裏面５２ａにて反射する。また、出射光は、壁部５１の内面５１ａにて反射する。そして、光通過孔５３，５４を通過して化粧シート３３の状態表示部（発電ランプ）３５へと導かれる。
【００３０】
図３（ｂ）に示すように、中板５２は、壁部５１の厚さと比べて薄く形成されている。発光素子４５の出射光は、このような中板５２を介して化粧シート３３の状態表示部（発電ランプ）３５へと進む。つまり、中板５２は、発光素子４５の出射光に対する透孔性を有している。
【００３１】
これらの光路により、発光素子４５から出射される複数の光は、混合されて状態表示部（発電ランプ）３５へと導かれ、状態表示部（発電ランプ）３５が所望の色となる。そして、光通過孔５３，５４は、長方形状の壁部５１の両端部に形成されている。したがって、光通過孔５３，５４を通過した光によって、図２に示すように、左右方向に延びる状態表示部（発電ランプ）３５が両端部まで確実に点灯する。また、光通過孔５３，５４の大きさに応じた量の光（光量）が、化粧シート３３の状態表示部（発電ランプ）３５に到達する。したがって、光通過孔５３，５４によって状態表示部（発電ランプ）３５の明るさを調整（設定）することができる。
【００３２】
以上記述したように、本実施形態によれば、以下の効果を奏する。
（１）リモコン装置２４は、筐体３１と、可視光を透過する状態表示部（発電ランプ）３５を有し、筐体３１の前面に取着された化粧シート３３と、筐体３１に内設された基板４３と、基板４３の化粧シート３３側の面に実装され、互いに色の異なる複数の光の出射が可能な発光素子４５と、を有している。筐体３１は、発光素子４５の出射光を状態表示部（発電ランプ）３５に導く導光部５０を備えている。導光部５０は、前方から見て発光素子４５を囲む筒状に形成された壁部５１と、発光素子４５の前方に配置された中板５２と、前方から見て発光素子４５と重ならない部分において中板５２を貫通する光通過孔５３，５４とを有する。
【００３３】
この構成によれば、発光素子４５から出射された各色に光は、発光素子４５の前方に配置された中板５２にて反射した後、中板５２に形成された光通過孔５３，５４を通過して化粧シートの状態表示部（発電ランプ）３５に導かれる。この光路において、複数の光が混ざり合い、状態表示部（発電ランプ）３５を均一な色にて点灯することができる。また、光通過孔５３，５４の大きさに応じた輝度にて状態表示部（発電ランプ）３５を点灯することができる。
【００３４】
（２）リモコン装置２４において、中板５２は、発光素子４５の出射光に対する透過性を有する。したがって、光通過孔５３，５４を通過した光と、中板５２を透過した光とが混ざり合い、状態表示部（発電ランプ）３５を均一な色にて点灯することができる。
【００３５】
（３）リモコン装置２４において、壁部５１は、前方から見て長方形の枠状に形成され、発光素子４５は、前方から見て中板５２の中央に配置され、光通過孔５３，５４は、中板５２の両端部に形成されている。したがって、壁部５１に応じた長方形状にて点灯することができる。そして、両端部に光通過孔５３，５４が形成されていることで、長方形状の全体に亘って均一な色にて点灯することができる。
【００３６】
尚、上記各実施形態は、以下の態様で実施してもよい。
・上記実施形態に対し、光通過孔５３，５４により光の混合が可能であり、中板５２の厚さを適宜変更してもよい。
【００３７】
・上記実施形態では、状態表示部（発電ランプ）３５の点灯に導光部５０を用いたが、その他の状態表示部３６ａ〜３６ｅ（図２参照）に対応して導光部を形成してもよい。
・上記実施形態では、導光部５０（壁部５１）を表ケース４１の厚み方向からみて長方形枠状に形成したが、楕円状、両端部を半円状とした長丸状、等の形状に適宜変更してもよい。
【００３８】
・上記実施形態に対し、導光部５０の中央部分に中板５２を配置してもよい。この場合、発光素子４５の光は、中板５２と壁部５１との間を通過して化粧シート３３の状態表示部３５へと導かれる。このようにしても、上記実施形態と同様の効果が得られる。
【００３９】
・上記実施形態では、発光素子４５を多色のＬＥＤとしたが、単色のＬＥＤとしてもよい。
・上記実施形態では、台所の壁面に取着するリモコン装置２４としたが、浴室のリモコン装置や、他のシステムのリモコン装置としてもよい。
【符号の説明】
【００４０】
２４…リモコン装置、３１…筐体、３３…化粧シート、３５…状態表示部（発電ランプ、表示部）、４３…基板、４５…発光素子、５０…導光部、５１…壁部、５２…中板。
【図１】
0006605321.tif 000002
【図２】
0006605321.tif 000003
【図３】
0006605321.tif 000004